(57)【要約】【課題】  液切れのよいリップ部付きの注出筒を有する注出キャップを提供すること。【解決手段】  容器の口部に装着するキャップ本体と、キャップ本体に着脱できる上蓋とからなる注出キャップであって、キャップ本体は、内容液の流路となる注出筒を有し、注出筒は、上端部にリップ部を有し、リップ部の先端部に下向きの薄肉片が形成されることを特徴とする。【選択図】  図３
2020083460.tif 000002
【特許請求の範囲】
【請求項１】
容器の口部に装着するキャップ本体と、キャップ本体に着脱できる上蓋とからなる注出キャップであって、
キャップ本体は、内容液の流路となる注出筒を有し、
注出筒は、上端部にリップ部を有し、
リップ部の先端部に下向きの薄肉片が形成されることを特徴とする注出キャップ。
【請求項２】
薄肉片は、リップ部先端部の外周側に沿って設けられていることを特徴とする請求項１に記載の注出キャップ。
【請求項３】
リップ部は、注出筒の上端部で湾曲部を有し、湾曲部からリップ部先端部に向けて湾曲部または傾斜部を形成することを特徴とする請求項１または２に記載の注出キャップ。
【請求項４】
リップ部は、注出筒の上端部で湾曲部を有し、湾曲部からリップ部先端部に向けて湾曲部と傾斜部とを組み合わせた構造としたことを特徴とする請求項１または２に記載の注出キャップ。
【請求項５】
油分の多い内容液に用いられることを特徴とする請求項１〜４のいずれかに記載の注出キャップ。
【請求項６】
上蓋は、ヒンジを介してキャップ本体に連設されることを特徴とする請求項１〜５のいずれかに記載の注出キャップ。
【発明の詳細な説明】
【技術分野】
【０００１】
本発明は、容器の口部に装着され、リップ部付きの注出筒を有するキャップ本体と、キャップ本体に着脱可能な上蓋とからなる注出キャップに関し、とくに液切れのよい注出筒を有する注出キャップに関するものである。
【背景技術】
【０００２】
醤油、酢、みりん、サラダ油などの液状の内容液を注出するキャップとして、容器の口部に装着するキャップ本体とキャップ本体に着脱可能な上蓋とからなる注出キャップが用いられ、キャップ本体には、内容液を注出する際の流路となる注出筒が設けられている。
【０００３】
また、キャップ本体の注出筒には、液切れをよくするために、注出筒の上端部に外側に向かって湾曲した湾曲部（リップ部）を設けることが従来より知られている（例えば、特許文献１参照）。
【先行技術文献】
【特許文献】
【０００４】
【特許文献１】特開平１０−４５１５６号公報
【発明の概要】
【発明が解決しようとする課題】
【０００５】
しかしながら、上記特許文献１記載のようなプラスチック製の注出キャップにおいては、内容液が水溶性の醤油、酢、酒、みりん等の場合は、液切れよく注ぎ出すことができるものの、サラダ油等の油分の多い内容液の場合には、油分がプラスチックと親和性を有するため、水溶性の内容液に比べ液切れが悪く、液だれによって注出キャップ周辺や容器を汚すという問題があった。
【０００６】
本発明は、上記問題を解決することを課題とし、注出キャップの注ぎ口の形状を改良し、油分の多い内容液であっても、液切れをよくし、注出キャップ周辺を清潔に保つことができる注出キャップを提供することを目的とする。
【課題を解決するための手段】
【０００７】
本発明は、上記の課題を解決するため、注出キャップとして、容器の口部に装着するキャップ本体と、キャップ本体に着脱できる上蓋とからなる注出キャップであって、キャップ本体は、内容液の流路となる注出筒を有し、注出筒は、上端部にリップ部を有し、リップ部の先端部に下向きの薄肉片が形成されることを特徴とする構成を採用する。
【０００８】
注出キャップの実施形態として、薄肉片は、リップ部先端部の外周側に沿って設けられていることを特徴とする構成、リップ部は、注出筒の上端部で湾曲部を有し、湾曲部からリップ部先端部に向けて湾曲部または傾斜部を形成することを特徴とする構成、また、リップ部は、注出筒の上端部で湾曲部を有し、湾曲部からリップ部先端部に向けて湾曲部と傾斜部とを組み合わせた構造としたことを特徴とする構成を採用する。
【０００９】
注出キャップの別の実施形態として、油分の多い内容液に用いられることを特徴とする構成、また、上蓋は、ヒンジを介してキャップ本体に連設されることを特徴とする構成を採用する。
【発明の効果】
【００１０】
本発明の注出キャップは、注出筒のリップ部の先端に下向きの薄肉片を設けることによって、内容液の注出の際の液切れがよくなり、特に油分の多い内容液であっても液切れがよく、液だれによる注出キャップ周辺の汚れを防止することができる。
【図面の簡単な説明】
【００１１】
【図１】本発明の注出キャップの閉蓋状態を示す図である。
【図２】本発明の注出キャップの開蓋状態を示す図であり、（ａ）は上面図、（ｂ）は断面側面図である。
【図３】注出筒のリップ部の先端に薄肉片を設けたことを示す図２（ｂ）の要部拡大図である。
【発明を実施するための形態】
【００１２】
次に、本発明の注出キャップについて、上蓋をヒンジを介してキャップ本体に連設するヒンジキャップとした実施例を示した図面を参照して説明する。
【実施例】
【００１３】
図１および図２において、Ａはキャップ本体、ＢはヒンジＣによってキャップ本体Ａに連設された上蓋である。
【００１４】
キャップ本体Ａは、容器内を密封する隔壁５と、隔壁５の周縁に連設して立設された注出筒６と、同じく隔壁５の周縁に連設して垂下し、容器の口部の内周に嵌合する内筒７と、注出筒６の下端部および内筒７の上端部に連設し、周縁で口部の外周に嵌合する外筒８と、外筒８に連設する基壁９と、基壁９上に立設され上蓋Ｂに係合して閉蓋状態を保つ環状の蓋係合部１０とからなっている。
また、注出方向側の蓋係合部１０の上端部には、斜め内側方向に突きだした液だれ防止フィン１１が形成されている。
【００１５】
隔壁５には、破断可能な薄肉弱化部１４が設けられ、薄肉弱化部１４は、破断されたときに注出口を形成する除去部１５を画成している。
除去部１５のヒンジＣ側には、支柱１６を介してプルリング１７が連設され、プルリング１７のヒンジＣと反対側の下部には、指先への接圧をやわらかくするための緩衝部１８が形成されている。
【００１６】
外筒８の内周には、容器の口部に嵌合する環状の嵌合突条２５が形成され、内筒７の外周面と外筒８の内周面、および基壁９の下面と嵌合突条２５によって形成される環状溝部に口部を嵌合するようになっている。
また、容器に打栓を容易にするために、嵌合突条２５の下部から複数の縦リブ２６が設けられ、縦リブ２６には、傾斜面が形成され、打栓の際に案内の役割を果たす。
図２（ａ）に示すとおり、外筒８の外周上部の所定範囲にわたって連設されたヒンジＣによって上蓋Ｂが連設され、ヒンジＣの近傍位置の外周には、容器に装着する際の周方向の位置決めを行う位置合わせリブ２７が突設されている。
【００１７】
図２（ｂ）に示すとおり、注出筒６は、ヒンジＣ側と反対側の所定円弧範囲にわたって高く設けられ、注出側流路面を形成している。
本実施例では、ヒンジＣ側には注出筒６は設けられていないが、高さの低い注出筒６を設けてもよい。
ヒンジＣと反対側の高い注出筒６の上端部には外側に湾曲したリップ部２８を有し、図３に示すように、リップ部２８の先端部に薄肉片２９が下向きに形成され、また、薄肉片２９は、リップ部２８先端部の外周側に沿って設けられている。
その際、薄肉片２９は、リップ部２８の先端部よりも下側を向くことが好ましく、また、薄肉片２９の基部とリップ部２８の先端部の外周側との間に段差部がないほうが好ましい。
本実施例では、リップ部２８は、上端部で湾曲部を有し、さらにリップ部２８先端部に向けて同様に外側へ湾曲部を形成するものであるが、上端部の湾曲部に続いてリップ部２８先端部に向けて湾曲しない傾斜部とするものであってもよく、また、リップ部２８先端部に向けて内側へ湾曲する湾曲部とするものであってもよい。
さらに、リップ部２８先端部に向けて湾曲部と傾斜部とを組み合わせた構造であっても構わない。
また、薄肉片２９は、成形後に、治具等でリップ部２８先端部より下方に変形（折り曲げる）させることによって得ることができる。
【００１８】
上蓋Ｂは、頂壁３１と、頂壁３１の周縁に垂設された側周壁３２とからなり、頂壁３１の裏面には、キャップ本体Ａの注出筒６の内周に嵌入する封止筒３３が垂設されている。
また、封止筒３３の外周には、ヒンジＣ側の所定円弧範囲にわたって、開蓋時に斜め上方に延びる庇状リブ３４が突設されている。
図２（ａ）に示すとおり、封止筒３３の内側には、頂壁３１の裏面から突出する複数の液回収リブ３５が設けられ、それぞれの液回収リブ３５は、断面が所定の高さを有する壁面形状をなしており、ヒンジＣと反対側の末端で互いに間隔を隔てて広がって配置され、ヒンジＣ側に向かって互いの間隔を狭めつつ、それぞれの基部が集束して封止筒３３の内周面に連設している。
【００１９】
封止筒３３の下端３８の頂壁３１裏面からの突出高さは、ヒンジＣの反対側からヒンジＣ側に向けて高くなっており、下端３８のヒンジＣ側には、液回収リブ３５が集束する位置を中央とする所定円弧範囲にわたって内側に突出する舌片３９が設けられている。
本実施例では、舌片３９は封止筒３３の下端３８に設けられているが、必ずしも下端３８に設けられなくてもよく、液回収リブ３５より下方であれば中間部位に設けられてもよい。
【００２０】
側周壁３２のヒンジＣと反対側の外周には、上蓋Ｂを開閉する際に手指をかける摘み部４０が突設され、摘み部４０は、下端に手指をかけるための指かけ突部４１が形成されている。
側周壁３２の内周には、ヒンジＣ側と摘み部４０側との中間部位に、キャップ本体Ａの蓋係合部１０に係合する係合部４５が、それぞれ所定円弧範囲にわたって設けられている。
また、図２（ａ）に示すとおり、側周壁３２には、上蓋Ｂを閉蓋したときにキャップ本体Ａの外筒８に設けられた位置合わせリブ２７に相対する位置に、同様の位置合わせリブ２７が設けられている。
なお、これらの位置合わせリブ２７はなくても構わない。
【００２１】
次に、本実施例の使用態様と作用効果について説明する。
本実施例の注出キャップは、図１に示す閉蓋状態で容器の口部に打栓して装着される。
なお、打栓の際に、容器と注出キャップとの間に注出方向の位置決めが必要な場合には、位置合わせリブ２７を利用する。
【００２２】
本実施例の注出キャップを容器使用時に抜栓するには、図２に示すように上蓋Ｂを開き、プルリング１７を上方に引っ張って、支柱１６を介して隔壁５の除去部１５を引き上げ、薄肉弱化部１４を破断して隔壁５から除去部１５を切り離して注出口を開口する。
プルリング１７のヒンジＣと反対側の下部には、薄板状の緩衝部１８を設けているので、手指が当たると緩衝部１８が容易に屈曲して、手指への接圧をやわらかくすることができる。
【００２３】
次いで、容器を持って傾ければ、内容液は、注出筒６を通ってリップ部２８から注出される。
その際、内容液はリップ部２８の先端に下向きの薄肉片２９が設けられているので、内容液が油分の多いものであっても、リップ部２８の裏側に回り込むことがなく、液切れよく注出することができる。
万が一、液だれが生じた場合にも、液だれ防止フィン１１によって液だれを受け止められ、注出キャップの外を汚すことがない。
【００２４】
注出後、上蓋Ｂを閉めると、上蓋Ｂの頂壁３１裏面に垂設された封止筒３３が注出筒６の内周面に嵌入して容器内を密閉するとともに、側周壁３２の内周面に設けられた係合部４５が、蓋係合部１０に係合する。
【００２５】
内容液は、注出口から流出して頂壁３１裏面の封止筒３３の内側にも付着する場合があるが、付着した液は、頂壁３１の裏面から突出する複数の液回収リブ３５に導かれつつ流下し、さらに封止筒３３の内周側を流下して容器内に回収される。
また、封止筒３３の外側に付着した液は、庇状リブ３４で一時的に受け止めることができ、液だれが防止できる。
【００２６】
また、封止筒３３の下端３８には舌片３９が設けられているので、開閉時に上蓋Ｂを傾けたとき、封止筒３３の内周面を流下する液を一時的に舌片３９上で受けることができ、舌片３９に溜められた液は閉蓋時に容器内に回収されるから、液だれを確実に防ぐことができる。
【００２７】
本実施例では、隔壁５に除去部１５を設けてプルリング１７で抜栓して開口するものであるが、回転によって抜栓するものでもよく、最初から開口部を有する抜栓しないものであっても構わない。
また、本実施例では、上蓋ＢをヒンジＣを介してキャップ本体Ａに連設するヒンジキャップの例で示したが、キャップ本体Ａと上蓋Ｂとの着脱は、ねじによる螺合でもよく、ねじ以外の方法によるものでもよい。
【産業上の利用可能性】
【００２８】
本発明の注出キャップは、注出筒のリップ部の先端に下向きの薄肉片を設けることによって、内容液の注出の際の液切れをよくするものであり、特に油分の多い内容液の場合でも液切れがよく、注出キャップ周辺が清潔に保たれるので、サラダ油など、油分の多い内容液に用いられる注出キャップとして好適である。
【符号の説明】
【００２９】
Ａ        キャップ本体
Ｂ        上蓋
Ｃ        ヒンジ
５        隔壁
６        注出筒
７        内筒
８        外筒
９        基壁
１０        蓋係合部
１１        液だれ防止フィン
１４        薄肉弱化部
１５        除去部
１６        支柱
１７        プルリング
１８        緩衝部
２５        嵌合突条
２６        縦リブ
２７        位置合わせリブ
２８        リップ部
２９        薄肉片
３１        頂壁
３２        側周壁
３３        封止筒
３４        庇状リブ
３５        液回収リブ
３８        下端
３９        舌片
４０        摘み部
４１        指かけ突部
４５        係合部
【図１】
2020083460.tif 000003
【図２】
2020083460.tif 000004
【図３】
2020083460.tif 000005